(57)【要約】【課題】磁気治療器による理学的効果を向上し、身体の「コリ」の解消と、健康の増進を計ろうとするもの。【解決手段】ナノセラミックス微粒子を含有する磁性体で造られた、角を含む比較的高さの低い筒状の治療具本体と、該治療具本体の裏面に貼装させかつ人体に添付できる布地片とからなる。【選択図】図３
2006000264.tif 000002
【特許請求の範囲】
【請求項１】
ナノセラミックス微粒子を含有する磁性体で造られかつ、角を含む高さの比較的低い筒状の治療具本体と、該治療具本体の裏面に貼装させかつ人体に添付できる布地片とからなり、使用者の人体の治療部に治療具本体が直接接触させて使用するようにしたことを特徴とする磁気治療器。
【請求項２】
上記治療具本体は、ナノセラミックス微粒子及びシリカａｎｄ／ｏｒブラックシリカになることを特徴とする上記請求項１に示す磁気治療器。
【発明の詳細な説明】
【技術分野】
【０００１】
本発明は、人体の適宜箇所に貼着して用いる治療具本体及び磁気治療器に関し、特に治療具本体にナノセラミックス微粒子及びシリカａｎｄ／ｏｒブラックシリカを含有する磁性体を用いたものに関する。
【背景技術】
【０００２】
現代病の一つとして肩や腰などの所謂「コリ」がクローズアップされるようになって久しい。「コリ」の症状としては、患部の「重い」「だるい」「痛い」等の感覚の違和感が挙られるが、その多くは、緊張や疲労が積み重なることによる内蔵疾患・骨格等に起因するが、肩こりにおいては肩をおおっている「僧帽筋」という筋肉が、緊張し続けて固くなり、痛むことから引き起こされるものと考えられている。
【０００３】
普段は柔らかい筋肉(血管内の血液はさらさらと流れている状態)が収縮して硬くなることで、筋肉内の血管を圧迫するので血行が悪くなる。血行が悪くなると筋肉に酸素が不足するが、そのまま緊張が続くと、疲労や痛みを引き起こす 物質(疲労物質・発痛物質)が発生する。この物質が筋肉に蓄積した状態が肩こりの第一段階「疲労による痛み」の状態であり、更にこの「痛み」の情報が中枢神経へ行くと、中枢から筋肉に緊張状態の維持を指示し、結果筋肉内の血管は圧迫されて血行が悪くなり、更に疲労物質や発痛物質がたまって「コリ」がひどくなると言う悪循環に陥ってしまうものである。
【０００４】
「コリ」をとる方法としては、揉んで筋肉をほぐして柔らかくする（マッサージする）方法や、患部に筋肉柔和剤を塗布する方法、また磁石を患部に当てて手当てする方法も知られている。磁気には古くから筋肉内の血行をよくする効果があることが知られており、この中で磁気を用いたものについては、磁気がコリのある筋肉に浸透し、結果筋肉組織内の血行を良くし、コリの悪循環を断ち切り、硬くなった筋肉をほぐすと言うものであった。
【０００５】
しかしながら磁力だけでは「コリ」を解消するための効果の程は定かでなく、より確実な効果を得るためには不十分なものであった。
【０００６】
本願発明者は、特開２００３−２１０５９２を開示している。この発明において、発明者は磁気治療器に関して、その治療具本体にシリカａｎｄ／ｏｒブラックシリカを用いることを発明したが、その後、研究を重ねて試行錯誤した結果、ナノセラミックス微粒子を用いることにより、さらに効果があることを発明した。（特許文献１参照）
【０００７】
上記のナノセラミックス微粒子、シリカ（珪石）、ブラックシリカ（黒鉛珪石）は、６〜１４ミクロンの遠赤外線を放射することが知られおり、これらは医療方面では癌の激痛緩和、ポリープ、肝炎、潰瘍痛等の治療に有効であり、また腰痛、肩こり、リューマチ、関節炎、神経痛、アトピー性皮膚炎等の治療にも有効であることを本願発明者は見いだした。
【０００８】
さらに製造業では、マット、安眠まくら、靴敷等に利用されて健康グッズに、土地農地では、酸化還元作用による地場の改良、建設では、コンクリートの中和剤、家庭では冷蔵庫の脱臭や鮮度維持、環境施設では、河川の浄化、汚水・排水の処理，殺菌除菌効果があることが知られ、またその遠赤外線放射による活性化水の利用による農業・畜産でも多大な成育、飼育効果がある。
【特許文献１】特開２００３−２１０５９２公報
【発明の開示】
【発明が解決しようとする課題】
【０００９】
そこで本願発明者は、健康の増進と、病気の治療などの目的に叶うものとしてナノセラミックス微粒子や、シリカ（珪石）や、ブラックシリカ（黒鉛珪石）が最適であることを見出した結果、これらを含有する磁性体で造られた、角を含む比較的高さの低い筒状の治療具本体を磁気治療器に利用することで、当該磁気治療器による理学的効果を向上し、身体の「コリ」の解消と、健康の増進を計ろうとするものである。
【００１０】
他に本発明の目的は、比較的安価なナノセラミックス微粒子や、シリカ（珪石）や、ブラックシリカ（黒鉛珪石）を用いた磁気治療器を容易に製造する方法を提唱することにある。
【００１１】
他に本発明の目的は、上記ナノセラミックス微粒子や、シリカ（珪石）や、ブラックシリカ（黒鉛珪石）の効果をさらに増長させ、かつ身体に装着した場合かかるナノセラミックス微粒子や、シリカ（珪石）や、ブラックシリカ（黒鉛珪石）が、離散したり剥離したりしないようにした磁気治療器を提供することにある。
【００１２】
他に本発明の目的は、該治療具本体は、ナノセラミックス微粒子及びシリカａｎｄ／ｏｒブラックシリカで形成されていることにある。
【課題を解決するための手段】
【００１３】
而して本発明の特徴は、ナノセラミックス微粒子を含有する磁性体で造られかつ、角を含む高さの比較的低い筒状の治療具本体と、該治療具本体の裏面に貼装させかつ人体に添付できる布地片とからなり、使用者の人体の治療部に治療具本体が直接接触させて使用するようにした事である。
【００１４】
また上記治療具本体は、ナノセラミックス微粒子及びシリカａｎｄ／ｏｒブラックシリカで形成されていることも本発明の特徴である。
【発明の効果】
【００１５】
而して本発明の効果は、ナノセラミックス微粒子を含有する磁性体で造られた、角を含む比較的高さの低い筒状の治療具本体を磁気治療器に利用できたもので、遠赤外線放射効果と磁力浴を利用し、素材に基づく理学的効果をも奏して身体の健康と美容の増進をも計ることができたのである。
【００１６】
他に発明の効果は、仮令えば、ワープロでの入力のしすぎで首の「コリ」を覚えた場合には首筋に、テニスなどの運動で腕に「コリ」を覚えた場合には腕やひじに、編み物や書き物で手に「コリ」を覚えた場合には手首に、掃除や洗濯などの一般家事足に「コリ」を覚えた場合にはひざに、ゴルフや野球などスイングを要するスポーツで腰に「コリ」を覚えた場合には腰に、ハイヒールでの立ち仕事で足のももに「コリ」を覚えた場合には脚や足の裏に治療具本体が直接接触するようにして貼装させる事で、ナノセラミックス微粒子、シリカ（珪石）、ブラックシリカ（黒鉛珪石）の持つ遠赤外線を放射する効果を十二分に引き出すことができ、より効果的にナノセラミックス微粒子や、シリカ（珪石）や、ブラックシリカ（黒鉛珪石）の秀れた効果が身体に作用するのである。
【００１７】
語句の説明
本案でナノセラミックス微粒子とは、ナノ状のセラミックスからなる微粒子のことをいう。またセラミックスとは、一般に無機物質を原料として熱処理によって得られる製品のことであり、そのような製品を製造する工業のことをさす。
【００１８】
一般に、耐熱性・耐薬品性、また高い電気絶縁性をもつが、半導体特性をもつものもあり、情報通信・精密機械・医用などの分野で新素材として利用されるものである。
【実施例】
【００１９】
以下本発明の一実施例を述べる。図１乃至図３は本発明品である磁気治療器本体の、それぞれ上面図、下面図、縦断断面図である。
【００２０】
図において（１）は磁気治療器本体であり、大略布地片（３）及び治療具本体（２）から成り立っている。
【００２１】
布地片（３）は仮令えば気触れたり、発疹したりするような人体に悪影響を与えないようなものであれば何でもよい。また図において通気性を持たせるために通風口（４）を設けた場合を示したが、これは特に無くても本発明は実施できるものである。またここでは特に図示しないが、通気性がよく蒸れにくい布地片（３）の材質としてメッシュを用いてもよい。
【００２２】
また布地片（３）の裏面は、後述する治療具本体（２）及び人体との枢着力を高めるために、粘着性を持ち合わせたものを用いるのが好ましい。また本発明は常時人体に貼装して用いるものであることから、仮令えば水仕事や入浴時に用いてもはがれにくいものとすることが勘要である。またその材質も前述したように発疹したりするような人体に悪影響を与えないような、仮令えば肌にやさしい低アレルギー性の粘着材を用いるとよい。
【００２３】
治療具本体（２）は、該布地片（３）の粘着性を有する裏面に貼装させてあり、またここではナノセラミックス微粒子を含有する磁性体で造られた角を含む高さの比較的低い筒状のものを想定している。
【００２４】
即ち前述したようにナノセラミックス微粒子、シリカ（珪石）、ブラックシリカ（黒鉛珪石）は、６〜１４ミクロンの遠赤外線を放射することが知られおり、これらは医療方面では癌の激痛緩和、ポリープ、肝炎、潰瘍痛等の治療に有効であり、また腰痛、肩こり、リューマチ、関節炎、神経痛、アトピー性皮膚炎等の治療にも有効であるので、この場合かかる治療具本体（２）を身体に直接接触するように構成することで、上記ナノセラミックス微粒子や、シリカ（珪石）や、ブラックシリカ（黒鉛珪石）の秀れた効果が身体に作用するのである。
【００２５】
またここでは約８０ミリテスラの磁力を持つ磁石を用いることを想定したが、本発明を実施した場合に筋肉の「コリ」や痛みを和らげる効果を持つものなら何でも良い。
【００２６】
而して利用者が本発明である磁気治療器本体（１）を用いて身体の「コリ」の解消を図ろうとした場合、まず利用者は布地片（３）の裏面、即ち粘着剤が塗布された面（５）に設けられたここでは特に図示しないカバー体をはがして、粘着面（５）を露出させる。
【００２７】
布地片（３）の裏面、即ち粘着剤が塗布された面（５）には予め治療具本体（２）が貼装させてあるので、しかる後図４に示すように、この治療具本体（２）を患部の「重い」「だるい」「痛い」等の感覚の違和感を覚える箇所、即ち「こった」箇所へ治療具本体（２）が直接接触するようにして貼装させる。
【００２８】
そして上部から粘着力が効するように、仮令えば手で押さえつける等して軽く圧力をかけてやることで、人体と治療具本体（２）の接触部分が大きくなり、ナノセラミックス微粒子、シリカ（珪石）、ブラックシリカ（黒鉛珪石）の持つ遠赤外線を放射する効果を十二分に引き出すことができ、より効果的にナノセラミックス微粒子や、シリカ（珪石）や、ブラックシリカ（黒鉛珪石）の秀れた効果が身体に作用するのである。
【００２９】
なおここでは磁気治療器本体（１）において治療具本体（２）を１つ設けて本発明を実施する方法を説明したが、治療具本体（２）を２個あるいはそれ以上の複数個設ける事で、さらにその効果が増大すること勿論である。
また「コリ」や痛みを感じる部位が広範囲に及ぶ場合には、本発明である磁気治療器本体（１）を１乃至複数個患部に貼装させてもよいのである。
【図面の簡単な説明】
【００３０】
【図１】磁気治療器本体の上面図である。
【図２】磁気治療器本体の下面図である。
【図３】磁気治療器本体の縦断断面図である。
【図４】磁気治療器本体を人体に貼装させた場合の一例図である。
【図５】超微粒子本発明ナノ状のセラミック超微粒子の磁性特性グラフ。
【図６】本発明装飾具であるブレスレットを嵌めた時の、身体に与える好影響を示すサーモグラフィックの写真である。
【図７】本発明装飾具であるネックレスを嵌めた時の、身体に与える好影響を示すサーモグラフィックの写真である。
【図８】誘発足蹠浄腫に対する炎症、鎮痛、抑制効果のグラフ。
【符号の説明】
【００３１】
１    磁気治療器本体
２    治療具本体
３    布地片
４    通風口
５    粘着面
【図１】
2006000264.tif 000003
【図２】
2006000264.tif 000004
【図３】
2006000264.tif 000005
【図４】
2006000264.tif 000006
【図５】
2006000264.tif 000007
【図６】
2006000264.tif 000008
【図７】
2006000264.tif 000009
【図８】
2006000264.tif 000010